(57)【要約】      （修正有）【課題】より利用しやすい浄水器を提供する。【解決手段】上壁部と底壁部とを有し、上壁部に複数の貫通孔が形成され、底壁部に排水口４１６が形成された浄水部と、浄水部内に収容されるフィルター部材４２と、浄水部の上部に取り付けられ、周壁部５１を有する貯留空間５３を備え、上壁部の貫通孔を小さい孔とすることで、貯留空間５３に水が溜まりやすくなり、上壁部の全面に亘る貫通孔から対象水が流出し、フィルター部材４２の全面が使用可能となる浄水器３０。【選択図】図８
2020146674.tif 000002
【特許請求の範囲】
【請求項１】
上壁部と底壁部とを有し、前記上壁部に複数の貫通孔が形成され、前記底壁部に排水口が形成された浄水部と、
前記浄水部内に収容されるフィルター部材と、
前記浄水部の上部に取り付けられ、周壁部を有する貯留部と、
を備えている、浄水器。
【請求項２】
前記フィルター部材は、扁平状のフェルトにより形成されている、請求項１に記載の浄水器。
【請求項３】
前記浄水部の底壁部の中央付近に、前記排水口が形成されており、
前記浄水部の底壁部は、前記排水口に向かって下方に延びる傾斜面を有している、請求項１または２に記載の浄水器。
【請求項４】
前記浄水部の底壁部の上面には、前記排水口に向かって浄水を案内する少なくとも一つのガイド部材が設けられている、請求項３に記載の浄水器。
【請求項５】
前記貯留部は、前記周壁部の上部開口を塞ぐ、天壁部を備えており、
前記天壁部には、浄水の対象となる対象水を供給するための供給口が形成されている、請求項１から４のいずれかに記載の浄水器。
【請求項６】
前記浄水部の各貫通孔の水平方向の最大長さが、１０ｍｍ以下である、請求項１から５のいずれかに記載の浄水器。
【請求項７】
水平方向の最大長さよりも高さ方向の最大長さが短い扁平形状に形成されている、請求項１から６のいずれかに記載の浄水器。
【請求項８】
前記浄水部及び前記フィルター部材によってカートリッジが構成されており、
前記カートリッジは、前記貯留部から取り外し可能となっている、請求項１から７のいずれかに記載の浄水器。
【発明の詳細な説明】
【技術分野】
【０００１】
本発明は、浄水器に関する。
【背景技術】
【０００２】
近年、種々の形態の浄水器が提案されている。例えば、特許文献１には、カップ状の浄水器本体の下端部に、フィルター部材を設け、浄水器本体に溜めた水をフィルター部材によって濾過する浄水器が提案されている。
【先行技術文献】
【特許文献】
【０００３】
【特許文献１】登録実用新案第３０５７７９６号公報
【発明の概要】
【発明が解決しようとする課題】
【０００４】
しかしながら、上記の浄水器には、改良の余地があり、より利用しやすい浄水器が望まれていた。本発明は、上記課題を解決するためになされたものであり、より利用しやすい浄水器を提供することを目的とする。
【課題を解決するための手段】
【０００５】
本発明に係る浄水器は、上壁部と底壁部とを有し、前記上壁部に複数の貫通孔が形成され、前記底壁部に排水口が形成された浄水部と、前記浄水部内に収容されるフィルター部材と、前記浄水部の上部に取り付けられ、周壁部を有する貯留部と、を備えている。
【０００６】
上記浄水器において、前記フィルター部材は、扁平状のフェルトにより形成することができる。
【０００７】
上記浄水器においては、前記浄水部の下面の中央付近に、前記排水口を形成することができ、前記浄水部の下面は、前記排水口に向かって下方に延びる傾斜面を有することができる。
【０００８】
上記浄水器において、前記浄水部の底壁部の上面には、前記排水口に向かって浄水を案内する少なくとも一つのガイド部材を設けることができる。
【０００９】
上記浄水器において、前記貯留部には、前記周壁部の上部開口を塞ぐ、天壁部を備えることができ、前記天壁部には、浄水の対象となる対象水を供給するための供給口を形成することができる。
【００１０】
上記浄水器においては、前記浄水部の各貫通孔の水平方向の最大長さを、１０ｍｍ以下とすることができる。
【００１１】
上記浄水器は、水平方向の最大長さよりも高さ方向の最大長さが短い扁平形状に形成することができる。
【００１２】
上記浄水器においては、前記浄水部及び前記フィルター部材によってカートリッジを構成することができ、前記カートリッジは、前記貯留部の周壁部から取り外し可能とすることができる。
【発明の効果】
【００１３】
本発明によれば、より利用しやすい浄水器を提供することができる。
【図面の簡単な説明】
【００１４】
【図１】本発明の第１実施形態に係る浄水器の使用方法を示す斜視図である。
【図２】図１の浄水器の斜視図である。
【図３】図２の断面図である。
【図４】図１の浄水器に用いられるカートリッジの平面図である。
【図５】図４の底面図である。
【図６】図４の側面図である。
【図７】図６のＡ−Ａ線矢視図である。
【図８】図１の断面図である。
【図９】本発明の第２実施形態に係る浄水器の正面図である。
【図１０】図９の側面図である。
【図１１】図９の断面図である。
【図１２】図９の浄水器の分解図である。
【図１３】図９の浄水器におけるカートリッジとカバー部材との連結を示す拡大断面図である。
【発明を実施するための形態】
【００１５】
＜Ａ．第１実施形態＞
＜１．浄水器の概要＞
以下、本発明に係る浄水器の第１実施形態について、図面を参照しつつ説明する。図１は本実施形態に係る浄水器の使用方法を示す斜視図、図２はこの浄水器の斜視図、図３は図２の断面図である。
【００１６】
本実施形態に係る浄水器は、例えば、図１に示すように、ケトル１０などの上部開口に設置され、上方の蛇口２０から供給される水（以下、対象水という）を浄化するものである。そして、図２及び図３に示すように、この浄水器３０は、扁平状のカートリッジ４と、その上部に取り付けられ、カートリッジ４の上部に水の貯留空間を形成するカバー部材５と、を備えている。以下、各部材について、詳細に説明する。
【００１７】
＜１−１．カートリッジ＞
まず、カートリッジ４について、図４〜図７を参照しつつ説明する。図４はカートリッジの平面図、図５は図４の底面図、図６は図４の側面図、図７は図６のＡ−Ａ線矢視図である。
【００１８】
図４〜図７に示すように、このカートリッジ４は、平面視長方形状に形成された筐体４１と、この筐体４１の内部に収容されるフィルター部材４２と、を備えている。筐体４１は、平面視長方形状の上壁部４１１と、この上壁部４１１の周縁から下方に延びる周壁部４１２と、周壁部４１２の下部開口を塞ぐ底壁部４１３と、備えおり、これらによって囲まれた内部空間が形成されている。周壁部４１２の高さ方向の最大長さは縦方向最大長さ及び横方向最大長さに比して短く形成されているため、筐体４１は、全体として扁平状に形成されている。なお、筐体４１を形成する材料は特には限定されないが、例えば、樹脂材料、金属材料などで形成することができる。カートリッジ４の大きさとしては、例えば、水平方向の面積が５０〜３００ｃｍ2程度、高さ方向の最大長さが５〜３０ｍｍ程度が挙げられる。
【００１９】
上壁部４１１には、その全面に亘って複数の貫通孔４１５が形成されており、これら貫通孔４１５を通じて対象水が内部空間に流れるようになっている。複数の貫通孔４１５は、円形、矩形状など種々の形状に形成されている。また、各貫通孔４１５の外径は特には限定されないが、例えば、水平方向の最大長さを、１〜１０ｍｍとすることが好ましく、１〜５ｍｍとすることがさらに好ましい。これは、貫通孔４１５の水平方向の最大長さが小さいと対象水が入りにくくなり、水平方向の最大長さが大きいと、特に濾過開始時に、蛇口２０からの水が直接フィルター部材４２に当たり、フィルター部材４２の変形するおそれがある。また、蛇口からの水が直接フィルター部材４２に当たると、流速が速すぎて対象水が濾過されないままフィルター部材４２を通過してしまう、所謂初期リークが発生しやすくなるおそれがある。さらに、貫通孔４１５を上記のような小さい孔とすることにより、後述する貯留空間５３に水が溜まりやすくなり、上壁部４１１の全面に亘る貫通孔４１５から対象水が流出するよう案内しやすくなる。その結果、フィルター部材４２の全面を使用可能となり、フィルター部材４２の濾過寿命を長くしやすくなる。なお、本発明において、貫通孔４１５の水平方向の最大長さとは、貫通孔４１５の外縁によって画定される面の重心を通過する該面と平行な直線における、該直線と該貫通孔の外縁との一方の交点から他方の交点までの長さのうち、最大のものをさす。
【００２０】
貫通孔４１５の１つあたりの水平方向面積としては、１〜２０ｍｍ2が挙げられ、１〜１０ｍｍ2が好ましく挙げられる。また、上部壁４１１全体の面積（貫通孔４１５の面積を含む。）に対する、貫通孔４１５の総面積の割合としては、１０〜３５％が挙げられ、１０〜３０％がより好ましく挙げられる。
【００２１】
底壁部４１３の中央付近には、浄水を排出する排水口４１６が形成されている。また、底壁部４１３には、その周縁から排水口４１６に向かって下方に向かう傾斜面が形成されている。さらに、底壁部４１３の上面には、排水口４１６に向かって放射状に延びる複数のガイド部材４１７が形成されている。本実施形態では、各ガイド部材４１７は、リブによって形成されている。当該リブは、フィルター部材４２を通過した対象水を排水口４１６に案内するだけでなく、後述する、カートリッジ４を未使用時に冷蔵庫等に保管して使用されるものとする場合に、急激な温度変化に伴うカートリッジ４の収縮・膨張を防ぎ、カバー部材５と対象水の漏れのないように連結しやすくなる。このような観点から、放射状に伸びるリブの数としては、４〜４０本が挙げられ、１０〜３０本が好ましく挙げられる。
【００２２】
フィルター部材４２は、扁平状のフェルトによって形成されており、筐体４１の周壁部４１２と対応する位置に収容される。フィルター部材４２の外縁は、周壁部４１２の内面に接するように配置されており、これによって、上壁部４１１を通過したほぼ全ての対象水は、フィルター部材４２を通過した後、底壁部４１３に流れるようになっている。なお、本発明において、フェルトとは不織布のことを示し、例えば、ニードルパンチ不織布、湿式抄紙不織布等が挙げられる。また、フィルター部材４２の厚さとしては、例えば、１〜２０ｍｍが挙げられる。また、フィルター部材４２の見かけ密度としては、例えば、０．０５〜０．４ｇ／ｃｍ3が挙げられ、０．０５〜０．２ｇ／ｃｍ3が好ましく挙げられる。
【００２３】
フィルター部材４２を形成する材料は、水の濾過が可能であれば、特には限定されないが、例えば、活性炭繊維によるフェルトによって形成することができる。上記フェルトは、活性炭繊維以外に、粒状活性炭、ゼオライト、イオン交換繊維、イオン交換樹脂、キレート繊維、セラミック、亜硫酸カルシウム、中空糸などを含有することができる。中でも、本発明の浄水器の保管中におけるフェルトの抗菌性をより向上させる観点から、抗菌剤を担持しない活性炭繊維と、抗菌剤を担持する、活性炭繊維、粒状活性炭及びゼオライトからなる群より選択される１種以上と、を含むものとすることが好ましく、長期間の使用によっても抗菌性をより一層維持しやすくする観点から、抗菌剤を担持しない活性炭繊維と、抗菌剤が練りこまれた、活性炭繊維又は粒状活性炭と、を含むことがより好ましい。活性炭に練りこまれる抗菌剤としては、例えば、銀、亜鉛及び銅からなる群より選ばれる１種以上の金属単体又は金属化合物が好ましく、当該金属化合物としては、当該金属塩が好ましく挙げられる。銀塩としては硝酸銀、酢酸銀、硫酸銀、アセチルアセトナト銀が挙げられ、亜鉛塩としては硝酸亜鉛、酢酸亜鉛、硫酸亜鉛が挙げられ、銅塩としては硝酸銅、酢酸銅、硫酸銅が挙げられる。また、フェルトには、バインダー成分を含むことが好ましく、当該バインダー成分としては、パルプ、熱融着性繊維が挙げられる。
【００２４】
＜１−２．カバー部材＞
次に、カバー部材５について図３を参照して説明する。カバー部材５は、矩形状の周壁部５１と、この周壁部５１の上部開口を塞ぐ天壁部５２と、を備えている。周壁部５１の下端部は、カートリッジ４の上端の周縁に、取り外し可能に連結されている。したがって、カートリッジ４の上壁部４１１、カバー部材５の周縁部５１、及び天壁部５２によって、直方体状の内部空間が形成されている。また、天壁部５２の中央には、円形の開口（供給口）５２１が形成されており、この開口５２１から供給された対象水が、上記内部空間に溜まるようになっている。すなわち、この内部空間は、対象水の貯留空間５３として機能する。なお、カバー部材５を形成する材料は特には限定されないが、例えば、樹脂材料、金属材料などで形成することができる。
【００２５】
＜２．浄水器の使用方法＞
次に、上記のように構成された浄水器３０の使用方法について、図８も参照しつつ説明する。使用に先立って、カートリッジ４をカバー部材５から取り外し、カートリッジ４を一定時間水に浸す。これにより、フィルター部材５を構成するフェルトの内部の空気を水に置換する。すなわち、フィルー部材４２に含まれる空気を排出する。続いて、カートリッジ４をカバー部材５に取り付けた後、図１に示すように、浄水器３０をケトル１０の上部開口を覆うように配置する。次に、図８に示すように、蛇口２０などから対象水をカバー部材５の開口５２１に供給する。供給された対象水は、貯留空間５３に貯留され、貯留された対象水が、カートリッジ４内に流れていく。すなわち、貯留空間５３に貯留された対象水の水圧によって、対象水がカートリッジ４内へ供給されていく。
【００２６】
そして、対象水は、カートリッジ４の上壁部４１１の貫通孔４１５を通過し、フィルター部材４２に流れ込む。上記のように、貫通孔４１５は上壁部４１１の全面に亘って多数形成されているため、フィルター部材４２にも、局所的ではなく、全面に亘って対象水が流れ込んでいく。そして、フィルター部材４２を通過し、濾過された水は、浄水となって、カートリッジ４の底壁部４１３に流れる。底壁部４１３に落下した浄水は、ガイド部材４１７にガイドされつつ、傾斜面を下って排水口４１６まで流れていき、排水口４１６からケトル１０へと排出される。こうして、ケトル１０には、浄水が溜まっていく。
【００２７】
また、フィルター部材４２が目詰まりするなど、浄水機能が低下した場合には、カートリッジ４を交換することができる。すなわち、カートリッジ４をカバー部材５から取り外し、新たなカートリッジ４をカバー部材５に取り付けることができる。
【００２８】
＜３．特徴＞
以上のように、本実施形態に係る浄水器によれば、次の効果を得ることができる。
(1) 貯留空間５３に対象水が溜められ、この水圧によって対象水が貫通孔４１５及びフィルター部材４２を通過するため、濾過速度を向上することができ、短時間で浄水を生成することができる。なお、濾過速度は、例えば、１．０〜２．５Ｌ／ｍｉｎとすることができる。
【００２９】
(2) カートリッジ４の上壁部４１１には全面に亘って、貫通孔４１５が形成され、また各貫通孔４１５の外径が小さいため、カバー部材５の開口５２１から入った対象水が、フィルター部材４２に対し局所的に供給されるのを防止することができる。また、蛇口２０からの水は、フィルター部材４２に直接当たらず、一旦上壁部４１１に当たった後、貫通孔４１５を介してフィルター部材４２に流れるため、フェルト製のフィルター部材４２が変形するのを防止することができる。このように、本実施形態では、フィルター部材４２の全体を利用して対象水の濾過を行うことができるため、濾過時間の短縮、フィルター部材４２の長寿命化を図ることができる。
【００３０】
(3) 浄水器３０が全体として扁平状（水平方向の最大長さよりも高さ方向の最大長さが短い扁平状）に形成されているため、蛇口２０とケトル１０との隙間が小さい場合、つまり対象水の供給源と、浄水を溜める容器との距離が短い場合でも、対象水の濾過を行うことができる。すなわち、コンパクトな浄水器３０を提供することができる。なお、本発明において、浄水器３０の水平方向の最大長さは、浄水器３０を平面方向から直視した場合の外縁によって画定される面の重心を通過する該面と平行な直線における、該直線と該外縁との一方の交点から他方の交点までの長さのうち、最大のものをさす。
【００３１】
(4) カートリッジ４の底壁部４１３の中央付近に排水口４１６が形成されているため、浄水の排水箇所を絞ることができる。その結果、ケトル１０に浄水を溜めやすくすることができる。また、排水口４１６に向かっては、傾斜面とガイド部材４１７が形成されているため、フィルター部材４２を通過した浄水を、排水口４１６に向かって迅速に流すことができる。
【００３２】
(5) カバー部材５の周壁部５１は、対象水を供給する開口５２１以外は、天壁部５２によって覆われているため、貯留空間５３に入った対象水が跳ね返って、外部に飛び散るのを防止することができる。
【００３３】
(6) フィルター部材４２単体ではなく、フィルター部材４２を収容するカートリッジ４として取り外し可能とすることで、フィルター部材４２単体に比して、取扱い性が向上し、例えば、上述したように、ユーザーによるフィルター部材４２使用前の水なじませる作業を行いやすくすることができる。このような効果は、フィルター部材４２が扁平状のフェルトにより形成されている場合、フェルトはユーザーが触ることにより容易に変形しやすいため、より一層顕著である。
【００３４】
また、この浄水器は、未使用時には、冷蔵庫等、冷暗所に保管して使用されるものとすることができる。これにより、未使用時におけるフィルター部材４２の黴の発生等を防ぎ易くなる。特に、この浄水器は、カートリッジ４が、カバー部材５から取り外し可能とすることができるため、未使用時にカートリッジ４をカバー部材５から取り外してコンパクトなサイズで冷暗所に保管して使用されるものとすることができる。
【００３５】
＜Ｂ．第２実施形態＞
次に、本発明に係る浄水器の第２実施形態について、図面を参照しつつ説明する。以下では、主として第１実施形態と相違する点について説明し、同一構成には同じ符号を付して説明を省略する。
【００３６】
図９は本実施形態に係る浄水器の正面図、図１０は図９の側面図、図１１は図９の断面図、図１２は図９の浄水器の分解図である。以下、本実施形態が第１実施形態と相違する点について説明する。
【００３７】
＜１＞カバー部材
図１１に示すように、本実施形態のカバー部材５においては、天壁部５２が、その周縁から開口５２１に向かって下方へ傾斜するように構成されている。したがって、天壁部５２に供給される水が、開口５２１に向かって流れやすくなる。天壁部５２の周縁から上方に向かって延びる延長壁部５３が形成されている。これにより、天壁部５２の周囲が延長壁部５３によって囲まれるため、天壁部５２上の水が外部に流れ落ちるのを防止することができる。
【００３８】
＜２＞支持部
図９〜図１１に示すように、カートリッジ４の筐体４１の下面には、排水口４１６を囲むように枠状の支持部４５が形成されている。この支持部４５は平面視矩形状に形成されており、下端は水平方向に延びている。したがって、支持部４５を水平な設置面に配置することで、カートリッジ４が水平方向に延びるように安定的に設置することができる。また、図１１に示すように、支持部４５によって、排水口４１６が設置面に接するのを防止できるため、衛生的である。さらに、この支持部４５は、筐体４１よりも小さく形成されているため、手で持ちやすい。したがって、後述するように、カートリッジ４をカバー部材５から取り外す際に、カートリッジ４を手で保持できるため、取り外しが容易になる。
【００３９】
＜３＞カートリッジとカバー部材の連結構造
カートリッジ４とカバー部材５とは、着脱自在に連結されているが、その連結構造について説明する。まず、カートリッジ４の連結構造について説明する。図１１及び図１２に示すように、カートリッジ４の筐体４１の周壁部４１２には、上下方向の中間付近に、外方に突出するフランジ部４１７が全周に亘って形成されている。そして、フランジ部４１７上には、周壁部４１２を全周に亘って囲むようにＯリング８が配置されている。Ｏリング８は、引き伸ばされた状態で周壁部４１２に取り付けられている。すなわち、Ｏリング８は、その弾性力によって周壁部４１２に固定されている。
【００４０】
また、フランジ部４１７には複数の係止部材４６が取り付けられている。具体的には、フランジ部４１７の長辺に２個ずつ、フランジ部４１７の短辺に１個ずつの係止部材４６が取り付けられている。但し、係止部材４６の数や位置は特には限定されない。各係止部材４６は、フランジ部４１７の先端から下方に延びる板状の本体４６１と、この本体４６１の先端から外側に突出する突部４６２とを備えている。そして、各係止部材４６の本体４６１は、フランジ部４１７との連結部分を中心として弾性変形により揺動可能となっている。
【００４１】
次に、カバー部材５の連結構造について説明する。カバー部材５の周壁部５１の下端には水平方向に外側へわずかに延びる板状の第１部位５３が形成されており、この第１部位５３の先端から下方にわずかに延びる第２部位５４が形成されている。図１１の拡大図に示すように、カートリッジ４がカバー部材５に取り付けられるとき、周壁部５１の内壁面は、カートリッジ４の周壁部４１２の外面と接するように構成されており、第１部位５３はカートリッジ４のフランジ部４１７の先端とほぼ同じ位置まで延びている。そのため、第２部位５４は、フランジ部４１７の上面の先端付近に接するように構成されている。
【００４２】
第２部位５４の上下方向の長さは、Ｏリング８の直径よりも短く形成されているため、カートリッジ４がカバー部材５に完全に取り付けられ、第２部位５４がフランジ部４１７に接したとき、Ｏリング８は第１部位５３によって押し潰されるようになっている。その結果、カートリッジ４とカバー部材５とは液密に連結され、貯留空間５３に貯められた水が、カートリッジ４の周壁部４１２とカバー部材５の周壁部５２との隙間から漏れるのを防止することができる。
【００４３】
さらに、図１１及び図１２に示すように、カートリッジ４の第２部位５４の外面には、下方に延びる延在部５６が設けられている。延在部５６は、平面視矩形状の枠型に形成されており、係止部材４６の下方まで延びている。そして、カートリッジ４がカバー部材５に取り付けられたときに係止部材４６と対応する位置には、矩形状の貫通孔５６１が形成されている。但し、貫通孔５６１は、延在部５６の下縁からやや上方に形成されている。ここでは、延在部５６において、その下縁から貫通孔５６１までの部分を下縁領域５６２と称することとする。
【００４４】
カートリッジ４は、カバー部材５に対し、図１３に示すように取り付けられる。まず、図１３（ａ）の状態から、カートリッジ４をカバー部材５に向けて移動させ、図１３（ｂ）に示すように、カートリッジ４の係止部材４６の本体４６１を、延在部５６の内面に沿わせながら上方に移動させる。このとき、係止部材４６の突部４６２が、下縁領域５６２によって内側に押圧され、係止部材４６は弾性変形する。そして、図１３（ｃ）に示すように、カートリッジ４をさらに上方に移動させると、突部４６２が下縁領域５６２を乗り越え、係止部材４６は貫通孔５６１に収容される。これにより、突部４６２は、下縁領域５６２に係止する。その結果、カバー部材５に対し、カートリッジ４が下方へ移動するのが規制され、カバー部材５とカートリッジ４とが固定される。
【００４５】
カートリッジ４をカバー部材５から取り外すには、係止部材４６の突部４６２を内側に押圧し、突部４６２と下縁領域５６２との係止状態を解除した上で、カートリッジ４を下方に移動させればよい。これにより、カートリッジ４の交換を行うことができる。
【００４６】
以上のような連結構造によれば、次の効果を奏することができる。
（１）本実施形態では、いわゆる平面固定のように、Ｏリング８を上方から押し潰すことで、液密構造を形成しているため、例えば、円筒面固定のように、Ｏリング８をカートリッジ４の筐体４１の外周面とカバー部材５の周壁部５１の内周面との間に配置するよりも寸法精度が要求されない。すなわち、円筒面固定では、寸法公差を考慮して液漏れを防止するため、カートリッジ４の筐体４１の外面とカバー部材５の周壁部５１の内面とがしっかりと接するように設計するが、このようにすると、カートリッジ４の取り付け及び取り外しに力を要する。これに対して、本実施形態のように構成すれば、取り付け及び取り外し時に大きい力を要しないにすることができる。
【００４７】
（２）カートリッジ４がカバー部材５に対して完全に取り付けられたときには、図１１の拡大図に示すように、Ｏリング８は、カバー部材５の第１部位５３及び第２部位５４に囲まれた空間に収容される。したがって、さらに強固な液密構造を形成することができる。
【００４８】
（３）係止部材８をカバー部材５の貫通孔５６に嵌め込むことで、カートリッジ４を取り付けているため、カートリッジ４の取り付け及び取り外しが容易になる。
【００４９】
＜Ｃ．変形例＞
以上、本発明の実施形態について説明したが、本発明は上記各実施形態に限定されるものではなく、その趣旨を逸脱しない限りにおいて、種々の変形が可能である。なお、以下の変形例は、適宜組み合わせることができる。
【００５０】
フィルター部材４２は、フェルト以外でもよく、例えば、活性炭繊維により形成されるクロスであってもよいし、粒状活性炭を圧縮成型して得られるブロックカーボンであってもよいし、粒状活性炭を袋体に詰め込んだものであってもよい。また、フィルター部材４２の形状も特には限定されず、扁平状以外のブロック状など種々の形状にすることができる。
【００５１】
カバー部材５は、少なくとも周壁部５１が設けられ、貯留空間５３が形成されればよい。但し、水の飛び散りを防止するには、上述した天壁部５２を設けることが好ましい。また、本発明の貯留部としては、本発明の浄水部の一例に相当する筐体４１の上部に水を貯める空間が形成されればよく、少なくとも周壁部５１が設けられていればよい。したがって、貯留部と浄水部との連結構造は特には限定されない。
【００５２】
カートリッジ４の底壁部４１３の構成も、上記実施形態に限定されず、種々の構成が可能である。例えば、排水口４１６の数を２以上設けたり、排水口４１６の位置も特には限定されない。また、傾斜面やガイド部材４１７も、必ずしも必要ではない。
【００５３】
カートリッジ４及びカバー部材５の構成は、特には限定されず、扁平状でなくてもよい。また、平面視矩形状以外の多角形状、円形など、種々の形状にすることができる。
【００５４】
第２実施形態で示したカートリッジ４とカバー部材５との連結構造は、一例であり、両者が着脱自在に固定されれば、その構成は特には限定されない。また、カートリッジ４とカバー部材５とを一体化し、分離できないようにすることもできる。
【００５５】
上記浄水器３０は、種々の用途で利用することができ、ケトル１０などの容器に溜める水を濾過するほか、コーヒーメーカーや製氷機に入れる水を濾過するなど、種々の用途に用いることができる。
【符号の説明】
【００５６】
３０  浄水器
４  カートリッジ
４１  筐体（浄水部）
４１１  上壁部
４１３  底壁部
４１５  貫通孔
４１６  排水口
４１７  ガイド部材
４２  フィルター部材
５１  周壁部
５３  貯留空間（貯留部）
【図１】
2020146674.tif 000003
【図２】
2020146674.tif 000004
【図３】
2020146674.tif 000005
【図４】
2020146674.tif 000006
【図５】
2020146674.tif 000007
【図６】
2020146674.tif 000008
【図７】
2020146674.tif 000009
【図８】
2020146674.tif 000010
【図９】
2020146674.tif 000011
【図１０】
2020146674.tif 000012
【図１１】
2020146674.tif 000013
【図１２】
2020146674.tif 000014
【図１３】
2020146674.tif 000015